(57)【要約】【課題】  偽変造されたり、誤った固有印刷情報をもつ通帳類を発行することのないようにする。【解決手段】  搬送ローラ対２によって搬送される通帳類Ｔの通帳類固有情報４２を読み取る第１のＯＣＲ読取部５と、この第１のＯＣＲ読取部５によって読み取られた通帳類固有情報４２に基づく内容を付与した固有印刷情報及び固有記録情報を生成する生成部５８ａと、この生成部５８ａによって生成された固有印刷情報を通帳類Ｔに印刷する中間転写印刷部８と、この中間転写印刷部８によって印刷された固有印刷情報を読み取る第２のＯＣＲ読取部９と、この第２のＯＣＲ読取部９によって読み取られた固有印刷情報と第１のＯＣＲ読取部５によって読み取られた通帳類固有情報とが合致しているか否かを判別する判別部５８ｂ、この判別部５８ｂによって合致していないと判別されることに基づいてそのデータを無線ＩＣ４３に記録する無線ＩＣ Ｒ／Ｗユニット１０とを具備する。【選択図】      図１
2005074668.tif 000002
【特許請求の範囲】
【請求項１】
無線ＩＣを有するとともに通帳類固有情報が記録された通帳類を搬送路に沿って搬送する搬送手段と、
この搬送手段によって搬送される通帳類の通帳類それぞれに付与された固有情報を読み取る第１の読取手段と、
この第１の読取手段によって読み取られた前記固有情報に基づく内容による固有印刷情報及び固有記録情報を生成する生成手段と、
この生成手段によって生成された固有印刷情報を前記通帳類に印刷する印刷手段と、
この印刷手段によって印刷された前記固有印刷情報を読み取る第２の読取手段と、
この第２の読取手段によって読み取られた固有印刷情報と前記第１の読取手段によって読み取られた前記固有情報とが合致しているか否かを判別する判別手段と、
この判別手段によって合致していないと判別されたのに基づいてそのデータを前記無線ＩＣに記録する無線記録手段と
を具備することを特徴とする通帳類印刷装置。
【請求項２】
前記判別手段によって合致していないと判別された通帳類は、合致していると判別された通帳類とは異なる集積部に集積されることを特徴とする請求項１記載の通帳類印刷装置。
【請求項３】
予め通帳類それぞれに付与された固有情報が通帳類の所定位置と、内蔵された無線ＩＣに記録された通帳類を搬送路に沿って搬送する搬送手段と、
この搬送手段によって搬送される通帳類の通帳類それぞれに付与された固有情報を読み取る第１の読取手段と、
この第１の読取手段によって読み取られた通帳類固有情報に基づく内容による固有印刷情報及び固有記録情報を生成する生成手段と、
この生成手段によって生成された固有印刷情報を前記通帳類に印刷する印刷手段と、
この印刷手段によって印刷された前記固有印刷情報を読み取る第２の読取手段と、
この第２の読取手段によって読み取られた固有印刷情報と前記第１の読取手段によって読み取られた通帳類固有情報とが合致しているか否かを判別する判別手段と、
この判別手段によって合致していると判別されたのに基づいて前記無線ＩＣに予め記録されている通帳類固有情報を読み取り、この通帳類固有情報と前記生成手段によって生成された固有記録情報とを照合し、一致する場合には前記固有記録情報を前記無線ＩＣに記録し、不一致の場合にはそのデータを記録する無線記録手段と
を具備することを特徴とする通帳類印刷装置。
【請求項４】
前記判別手段によって合致していないと判別された通帳類は、合致していると判別された通帳類とは異なる集積部に集積されることを特徴とする請求項３記載の通帳類印刷装置。
【請求項５】
予め、通帳類それぞれに付与された固有情報が記録されるとともに、前記固有情報を記録した無線ＩＣを備え、
前記固有情報に基づく内容による固有印刷情報が印刷されるとともに、前記無線ＩＣに前記固有情報に基づく内容による固有印刷情報が記録されることを特徴とする通帳類。
【発明の詳細な説明】
【技術分野】
【０００１】
本発明は、無線ＩＣを内蔵する通帳類の印刷装置及びこの印刷装置により作成される通帳類に関する。
【背景技術】
【０００２】
無線ＩＣを内蔵し、セキュリティ情報を印刷する通帳類やカード状の印刷物において、所持人情報などの固有記載情報が印刷された出来上がり印刷物のセキュリティの重要性向上を考える場合、固有情報が印刷される前の印刷対象物そのものの盗難とこの盗難に伴う偽変造、などに対する対策が求められている。
【０００３】
その対策の一つとして、通帳類やカードの印刷対象物の製造工程で、印刷対象物そのものに固有の情報を付与しておくことが考えられる。
この印刷対象物固有情報と、後から印刷、記録するセキュリティ情報の両方を同時に組み合わせて管理することで、未使用印刷対象の盗難で偽造されたセキュリティ印刷物の発見、加えて、変造や全くの偽造印刷物の発見や抑止にも効果がある。
【０００４】
この場合、さらに望ましくは、印刷対象物固有情報をそのまま、もしくは加工して、後から印刷するセキュリティ情報の一部に加えて印刷、記録することであり、本提案はこの場合に適用される。
本提案は、無線ＩＣを内蔵した通帳類へのセキュリティ情報印刷に中間転写印刷方式を用いている。
【０００５】
中間転写印刷ユニットには、中間転写フィルム上への情報印刷部（以下、印刷部という）と、通帳類へのオーバーコート転写部（以下、転写部という）があり、従来は中間転写フィルム上への印刷動作後に、フィルム該当部分を転写部へ搬送し、通帳類への転写を実施していた。
【０００６】
ここで、通帳類に、予め付与された印刷対象固有情報（以下、通帳類固有情報という）を、通帳類作成装置内部の一連動作中に読み取り、通帳類固有情報をそのまま、もしくは加工して、セキュリティ情報の一部に加えた情報（以下、固有印刷情報という）を印刷、記録する、という動作を中間転写印刷方式と組み合わせる場合、まず、印刷動作が開始される前に通帳類固有情報を印刷部がデータとして認識、処理しておく必要がある。
【０００７】
一般的には光学式文字読取装置（以下、ＯＣＲという）で通帳類固有情報を読み取ることが考えられる。次に読み取った通帳類固有情報を元に、固有印刷情報を生成し、印刷部にて中間転写フィルム上に画像や文字などの印刷画像を形成し、形成された印刷画像は転写部に搬送され、印刷された固有印刷情報に該当した通帳類固有番号をもつ通帳類に印刷画像が転写される。
【０００８】
また、同様に通帳類固有情報を元に、固有記録情報を生成し、無線ＩＣ読取／書込部（以下無線ＩＣ Ｒ／Ｗ部という）にて固有記録情報を記録する。
【０００９】
【特許文献１】特願２００１−２９０２５５号
【発明の開示】
【発明が解決しようとする課題】
【００１０】
しかしながら、従来においては、通帳類に印刷した固有印刷情報が通帳類の固有情報と一致しない場合には、不良通帳類としてそのまま単に不良用の集積部に集積されていたため、通帳類が偽変造されてし流通してしまう恐れがあった。
また、ＯＣＲの誤読により通帳類固有情報を誤って読み取ってしまった場合には、誤った印刷情報を通帳類に転写、記録し、誤った固有印刷情報をもつ通帳類を作成してしまうこともあった。
【００１１】
本発明は上記事情に着目してなされたもので、その目的とするところは、偽変造されたり、誤った固有印刷情報をもつ通帳類を発行することのないようにした通帳類印刷装置及び通帳類を提供することにある。
【課題を解決するための手段】
【００１２】
上記課題を解決するため、請求項１記載のものは、無線ＩＣを有するとともに通帳類固有情報が記録された通帳類を搬送路に沿って搬送する搬送手段と、この搬送手段によって搬送される通帳類の通帳類それぞれに付与された固有情報を読み取る第１の読取手段と、この第１の読取手段によって読み取られた前記固有情報に基づく内容による固有印刷情報及び固有記録情報を生成する生成手段と、この生成手段によって生成された固有印刷情報を前記通帳類に印刷する印刷手段と、この印刷手段によって印刷された前記固有印刷情報を読み取る第２の読取手段と、この第２の読取手段によって読み取られた固有印刷情報と前記第１の読取手段によって読み取られた前記固有情報とが合致しているか否かを判別する判別手段と、この判別手段によって合致していないと判別されたのに基づいてそのデータを前記無線ＩＣに記録する無線記録手段とを具備する。
【００１３】
請求項３記載のものは、予め通帳類それぞれに付与された固有情報が通帳類の所定位置と、内蔵された無線ＩＣに記録された通帳類を搬送路に沿って搬送する搬送手段と、この搬送手段によって搬送される通帳類の通帳類それぞれに付与された固有情報を読み取る第１の読取手段と、この第１の読取手段によって読み取られた通帳類固有情報に基づく内容による固有印刷情報及び固有記録情報を生成する生成手段と、この生成手段によって生成された固有印刷情報を前記通帳類に印刷する印刷手段と、この印刷手段によって印刷された前記固有印刷情報を読み取る第２の読取手段と、この第２の読取手段によって読み取られた固有印刷情報と前記第１の読取手段によって読み取られた通帳類固有情報とが合致しているか否かを判別する判別手段と、この判別手段によって合致していると判別されたのに基づいて前記無線ＩＣに予め記録されている通帳類固有情報を読み取り、この通帳類固有情報と前記生成手段によって生成された固有記録情報とを照合し、一致する場合には前記固有記録情報を前記無線ＩＣに記録し、不一致の場合にはそのデータを記録する無線記録手段とを具備する。
【００１４】
請求項５記載のものは、予め、通帳類それぞれに付与された固有情報が記録されるとともに、前記固有情報を記録した無線ＩＣを備え、前記固有情報に基づく内容による固有印刷情報が印刷されるとともに、前記無線ＩＣに前記固有情報に基づく内容による固有印刷情報が記録される。
【発明の効果】
【００１５】
本発明は、通帳類に印刷した固有印刷情報が通帳類の固有情報と一致するか否を判別し、一致しない場合にはそのデータを無線ＩＣに記録するため、通帳類が偽変造されても容易に判別し、その流通を防止することができる。
また、無線ＩＣに事前に通帳類固有情報を記録しておくため、第１の読取手段で読み取った通帳類固有情報と事前に記録された通帳類記録情報とを照合することにより、第１の読取手段の通帳類記録情報の誤読による不良通帳類の発行を防止できる。
【発明を実施するための最良の形態】
【００１６】
以下、本発明を図面に示す実施の形態を参照して詳細に説明する。  
図１は本発明の一実施の形態である通帳類印刷装置１を示す全体構成図である。
この通帳類印刷装置１は通帳類取込部４を備え、この通帳類取込部４には通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１の読取手段としての第１のＯＣＲ読取部５、ページ捲り部６、直接印刷部７、印刷手段としての中間転写印刷部８、第２の読取手段としての第２のＯＣＲ読取部９、及び無線読取手段としての無線ＩＣ Ｒ／Ｗユニット１０が配設されている。
【００１７】
また、搬送路３の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
図２は、上記した中間転写印刷部８を示すものである。
【００１８】
中間転写印刷部８は機能的に情報印刷部（以下、印刷部という）１６と、オーバーコート転写部（以下、転写部という）１７とを有して構成されている。
印刷部１６としては熱溶融転写印刷方式のものが採用されている。即ち、サーマルヘッド１９とプラテンローラ２０に挟まれるように中間転写フィルム２１と溶融インクリボン２２を配置し、これら中間転写フィルム２１と溶融インクリボン２２によって中間転写フィルム２１の表面に情報等を印刷する。
【００１９】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００２０】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２１】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００２２】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００２３】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００２４】
図３（ａ）〜（ｃ）は中間転写フィルム２１の構成を示す断面図である。
図３（ａ）に示す中間転写フィルム２１は、基材としてのＰＥＴ（ポリエチレンテレフタレート）フィルム２６の表面に、透明樹脂によるホログラム形成層と金属化合物の蒸着層による透明ホログラム層２８、受像層兼接着層としてのポリエステル系樹脂２９を積層したものである。
【００２５】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００２６】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００２７】
その他、中間転写フィルム２１としては紫外線によって発光する蛍光発色層などの機能層を設け、転写対象への転写と同時にこれらの機能層も転写するものであってもよい。
図６は上記した通帳類取込部４にセットされる通帳類Ｔを開いた状態で示すものである。
【００２８】
この通帳類Ｔの上側のページには通帳類固有情報としての通帳類固有番号４２が記録されている。また、この通帳類Ｔには無線ＩＣ４３が内蔵されている。
図７は上記した通帳類印刷装置１の駆動制御系を示すブロック図である。
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００２９】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００３０】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
ヒータ温度制御部６０には制御回路を介してヒートローラ３５のヒータ６５が接続されている。通帳類搬送制御部６１には制御回路を介して通帳類搬送機構２ａ、通帳類取込機構４ａ、ページ検知部４ｂ、ページ捲り機構６ａ及び排出ゲート制御部１１ａが接続されている。
【００３１】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
光学式文字認識部６９には第１及び第２の読取り光学系５，９が接続されている。無線ＩＣ読取／書込部７３には、無線ＩＣ Ｒ／Ｗユニット１０が接続されている。
【００３２】
次に、上記したように構成される通帳類印刷装置１の動作について説明する。
まず、図１に示す通帳類取込部４から通帳類Ｔが１冊のみ取出されてページめくり部６に搬送され、ここで、通帳類Ｔの表紙が捲られて所定のページが開いた状態となる。この後、第１のＯＣＲ読取部５で通帳類Ｔそれぞれに付与されている固有情報４２が読み取られ、後で詳しく述べるように認識処理される。この認識処理された固有情報４２は、セキュリティ情報に追加され、サーマルヘッド１９に転送される黒印刷データとされる。
【００３３】
一方、このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
ついで、中間転写フィルム２１の所定の位置に固有印刷情報等がサーマルヘッド１９により印刷される。印刷される情報はＹ（イエロー），Ｍ（マゼンタ），Ｃ（シアン）の三原色に加えて黒の４色重ね合せによるカラー印刷である。これら複数色の重ね合わせ印刷は、中間転写フィルム２１がサーマルヘッド１９を色数と同じ回数往復することで、重ね合わせ印刷が行われる。また、印刷される情報は、反転画像であるという特徴がある。なお、印刷色は上記４色に加えて、蛍光顔料を含んだインクなど機能性インクを付与してもよい。
【００３４】
このように固有印刷情報が印刷された中間転写フィルム２１は順方向（ヒートローラ３５の方向）に巻き取られ、図４（ａ）に示すように経路途中の転写部マーク検知センサ３９によって中間転写フィルム２１の位置が把握される。この把握結果に基づいて転写開始位置まで中間転写フィルム２１が送られる。
【００３５】
また、このとき通帳類Ｔは、転写されるページが開かれた状態で図４（ｂ）に示すように取り込まれて、ヒートローラ３５に対して決められた位置に搬送される。転写されるページは、表紙見返しページでも、他の中紙ページでもかまわない。
このように互いに位置決めされた中間転写フィルム２１と通帳類Ｔの該当ベージは、図４（ｃ）に示すように円周の一部が切り欠かれた形状の金属製ヒートローラ３５の回転と共に合わされ、搬送と同時に加圧されるとともに加熱される。その後、図５に示すように通帳類Ｔに対して６０°〜１１０°の角度をもって転写フィルムベース２６が引き上げられて、固有印刷情報と受像兼接着層２９、ホログラム層２８の転写が完了し、図８に示すように固有情報４５、固有情報４２が転写されたものを含むセキュリティ情報４６及び所持人のカラー顔画像４４が転写される。転写が完了した通帳類Ｔは、図４（ｄ）に示すようにページが開かれた状態のまま次の第２のＯＣＲ読取部９に搬送される。
【００３６】
ところで、上記した第１のＯＣＲ読取部５で読み取られた通帳類Ｔの固有情報４２（この場合は文字）は光学式文字認識部６９で認識され、この認識結果が印刷装置制御部５８に送信される。印刷装置制御部５８では、データ入力制御部５０から送られてくる画像入力部５６で取得された所持人のカラー顔画像データ、操作パネル５５で入力された所持人のセキュリティ文字情報などに通帳類固有の文字情報に基づいた印刷データを加えて処理を行い、生成部５８ａで印刷データを生成し、中間転写画像処理部６８に送信する。これにより、通帳類固有情報が付与されたセキュリティ情報が中間転写フィルム２１の表面に印刷される。
【００３７】
また、第２のＯＣＲ読取部９で読み取られた固有情報４２と、固有印刷情報とは光学式文字認識部６９で認識され、この認識結果が印刷装置制御部５８に送信される。印刷装置制御部５８では、判別部５８ｂでデータの照合処理を行い、判断した結果を通帳類搬送制御部６１に送信する。
【００３８】
判別部５８ｂでのデータの照合結果で不良と判断された場合には、印刷装置制御部５８からデータ入力制御部５０に対し、作成した通帳類が不良であったことを通知する。データ入力制御部５０では作成された通帳類が不良であったという通知を受信することに基づいて再度同一の印刷処理命令を印刷装置制御部５８に送信し、自動的に通帳類の再作成を行わせる。
【００３９】
通帳類搬送・制御部６１では照合の結果から、正常通帳類であれば正常通帳類集積部１２へ、不良通帳類であれば不良通帳類集積部１３へ搬送制御を行うが、今回の提案で異なるのは、第２のＯＣＲ読取部９と正常及び不良通帳類集積部１２，１３との間に無線ＩＣ Ｒ／Ｗ制御部７３で制御される無線ＩＣ Ｒ／Ｗユニット１０を設けたことである。続いてこの無線ＩＣ Ｒ／Ｗユニット１０を加えた場合の動作について説明する。
【００４０】
まず、第１のＯＣＲ読取部５で読み取ったデータとの照合結果で不良と判断した場合は、すぐさま不良通帳類集積部１３に通帳類Ｔを搬送して集積するのではなく、無線ＩＣ Ｒ／Ｗユニット１０にて、不良通帳類であることを知らせる旨のデータを通帳類Ｔの無線ＩＣ４３に記録してから不良通帳類集積部１３に集積する。
【００４１】
また、第２のＯＣＲ読取部９で読み取ったデータの照合結果が正しかった場合には、無線ＩＣ４３に事前に通帳類Ｔの固有情報を記録してないものと、記録しているものとで動作が異なるので、それぞれの場合の動作を分けて記述する。
まず、無線ＩＣ４３に対して、事前に通帳類の固有情報を記録していない場合についての動作であるが、上述した中間転写印刷部８の印刷動作で説明したように、第１のＯＣＲ読取部５で読み取った通帳類固有情報４２を光学式文字認識部６９が認識し、その認識結果を印刷装置制御部５８に送信している。従って、印刷装置制御部５８では、データ入力制御部５０から送られてきた、画像入力部５６で取得された所持人のカラー顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗ制御部７３に送信する。これにより、通帳類固有情報が付与されたセキュリティ情報が無線ＩＣＲ／Ｗユニット１０にて通帳類Ｔの無線ＩＣ４３に記録（書き込み）される。
【００４２】
書き込み動作（通信）が終了したら、正常にデータが書き込めたかどうかをベリファイする。即ち、無線ＩＣ Ｒ／Ｗユニット１０は記録の終わった通帳類Ｔの無線ＩＣ４３から書き込んだデータを読み出し、送信したデータと照合を取る。照合結果が正しかった場合は正常通帳類集積部１２へ通帳類Ｔを搬送し、通帳類Ｔを集積する。
【００４３】
照合結果が正しくなかった場合は第２のＯＣＲ読取部９での照合エラーと同様に、無線ＩＣ Ｒ／Ｗユニット１０より、不良通帳類である旨を知らせるデータを通帳類Ｔの無線ＩＣ４３に記録し、不良通帳類集積部１３へ集積する。
また、通帳類Ｔの無線ＩＣ４３に対して、事前に通帳類の固有情報を記録している場合については、やはり、通帳類Ｔの無線ＩＣ４３へ記録するためのデータは、第１のＯＣＲ読取部５で読み取った通帳類固有情報を光学式文字認識部６９で認識し、その認識結果を印刷装置制御部５８に送信している。ここで、画像入力部５６で取得された所持人のカラー顔画像データ、操作パネル５５で入力された所持人のセキュリティ文字情報などに通帳類固有の文字情報に基づいた記録データを加えて処理を行い、無線ＩＣ４３への記録データを生成し、無線ＩＣ Ｒ／Ｗ制御部７３に送信する。
【００４４】
上記固有情報を受け取った無線ＩＣ Ｒ／Ｗ制御部７３はまず、無線ＩＣ Ｒ／Ｗユニット１０まで搬送されてきた通帳類Ｔの無線ＩＣ４３から事前に記録された通帳類固有情報を読み出し、印刷装置制御部５８から受信したデータとの照合を取る。ここで照合結果が不一致で、照合エラーが発生した場合は第１のＯＣＲ読取部５で読取りが誤認識された可能性があり、中間転写印刷部８で印刷された固有情報を含むセキュリティデータが、そもそも通帳類が持っていた固有情報と異なって印刷されてしまった可能性がある。この場合には、不良通帳類として扱い、不良通帳類集積部１３へ搬送して集積する。
【００４５】
照合結果が一致した場合は、印刷装置制御部５８から送られてきた固有情報を含むセキュリティデータを事前に無線ＩＣ４３に書き込まれた固有情報に追記もしくは上書きして書き込む。この後の動作は通帳類Ｔに内蔵された無線ＩＣ４３に固有情報が事前に書き込まれていなかった場合と同様に、正常にデータが書き込めたかどうかをベリファイする。即ち、無線ＩＣ Ｒ／Ｗユニット１０は通帳類Ｔから無線ＩＣ１０から書き込んだデータを読み出し、送信したデータと照合を取る。照合結果が正しかった場合は正常通帳類集積部１２へ通帳類を搬送し、通帳類Ｔを集積する。照合結果が正しくなかった場合は、無線ＩＣ Ｒ／Ｗユニット１０により、不良通帳類である旨を知らせるデータを通帳類Ｔの無線ＩＣ４３に記録し、不良通帳類集積部１３へ集積する。
【００４６】
上記したように、この実施の形態によれば、第１のＯＣＲ読取部５を通帳類取込部４と転写部８との間に設け、転写部８と集積部１２，１３との間の第２のＯＣＲ読取部９を設け、さらに集積部１２，１３の直前に無線ＩＣＲ／Ｗユニット１０を設けるため、通帳類固有情報４２に基づいたデータを、他のセキュリティ印刷情報４６に組み入れて印刷し、完成した通帳類Ｔに印刷された固有印刷情報４６が、通帳類Ｔの持つ固有情報４２と同一かどうかを判定し、さらに通帳類固有情報４２に基づいたデータを無線ＩＣ４３に記録することができる。
【００４７】
従って、通帳類Ｔに印刷された固有印刷情報４６が通帳類Ｔの持つ固有情報４２と異なると判定された場合には、不良通帳類であることを知らせるためのデータを無線ＩＣ４３に記録して不良通帳類として正常通帳類とは異なる不良用集積部１３に集積することができ、通帳類の偽変造防止性を向上させることができる。
【００４８】
また、通帳類Ｔの無線ＩＣ４３には、通帳類固有情報４２を事前に書き込んでおくため、無線ＩＣリーダを用いないと取り出すことのできない固有情報を有することになり、偽変造防止性を向上できる。
さらに、第１のＯＣＲ読取部５で読み取った通帳類固有情報４２と無線ＩＣ４３に事前に書き込まれた同様の通帳類固有情報とを照合し、第１のＯＣＲ読取部５で誤読した情報を含んだセキュリティ印刷情報が通帳類Ｔに印刷された場合には、不良通帳類と判断するため、誤読によって誤った情報が印刷された通帳類の発行を防止することができる。
【００４９】
なお、本発明は、上記一実施の形態に限られることなく、その要旨の範囲内で種々変形実施可能なことは勿論である。
【図面の簡単な説明】
【００５０】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同転写印刷部の転写動作を示す図。
【図５】同転写印刷部の転写動作の一部を拡大して示す図。
【図６】同通帳類印刷装置で用いられる通帳類を示す平面図。
【図７】同通帳類印刷装置の制御部を示す制御ブロック図。
【図８】同通帳類印刷装置で印刷された通帳類を示す平面図。
【符号の説明】
【００５１】
４３…無線ＩＣ、４２…通帳類固有情報、Ｔ…通帳類、２…搬送ローラ対（搬送手段）、３…搬送路、５…第１のＯＣＲ読取部（第１の読取手段）、８…中間転写印刷部（印刷手段）、９…第２のＯＣＲ読取部（第２の読取手段）、１０…無線ＩＣ Ｒ／Ｗユニット（無線記録手段）、１２…正常集積部、１３…不良印刷部、４６…セキュリティ情報（固有印刷情報）、５８…印刷装置制御部、５８ａ…生成部（生成手段）、５８ｂ…判別部（判別手段）。
【図１】
2005074668.tif 000003
【図２】
2005074668.tif 000004
【図３】
2005074668.tif 000005
【図４】
2005074668.tif 000006
【図５】
2005074668.tif 000007
【図６】
2005074668.tif 000008
【図７】
2005074668.tif 000009
【図８】
2005074668.tif 000010